(57)【要約】【課題】バスバモジュールに含まれるバスバの孔周囲部がボルト端子部のネジ山に引っ掛かるのを防止して、バスバの貫通孔にボルト端子部の軸部を適切に挿通させることができる組電池の製造方法を提供する。【解決手段】バスバモジュール５０を装着した取付用治具７０を、電池列４０の上方から降下させてゆくことで、バスバ５１，５２の貫通孔５１ｂ，５１ｃ，５２ｂにボルト端子部１３９，１４９の軸部１３９ｃ，１４９ｃを挿通させて、バスバモジュール５０を電池列４０に取り付ける取付工程において、バスバ５１，５２を振動させながら、バスバ５１，５２の貫通孔５１ｂ，５１ｃ，５２ｂにボルト端子部１３９，１４９の軸部１３９ｃ，１４９ｃを挿通させてゆく。【選択図】図１１
2018060626.tif 000002
【特許請求の範囲】
【請求項１】
複数の電池が列置方向に列置された電池列と、
前記列置方向に隣り合う前記電池の正極外部端子と負極外部端子とを接続する複数のバスバ、及び、
電気絶縁性を有し、前記複数のバスバを連結する連結部、を有する
バスバモジュールと、を備え、
前記正極外部端子及び前記負極外部端子は、雄ネジ部を有する軸部と前記軸部の後端側に位置する頭部とを備えるボルト端子部であって、前記軸部の先端側を上方に向けて前記電池の上部に配置されているボルト端子部を含み、
前記バスバは、前記ボルト端子部の前記軸部が挿通される貫通孔を有し、
前記バスバの前記貫通孔に前記ボルト端子部が挿通された状態で、前記バスバを通じて、列置方向に隣り合う前記電池の前記正極外部端子と前記負極外部端子とが接続されている
組電池の製造方法であって、
前記バスバモジュールを前記電池列に取り付けるための取付用治具に、前記バスバモジュールを装着する装着工程と、
前記バスバモジュールを装着した前記取付用治具を、前記電池列の上方から降下させてゆくことで、前記バスバの貫通孔に前記ボルト端子部の前記軸部を挿通させて、前記バスバモジュールを前記電池列に取り付ける取付工程と、を備え、
前記取付工程では、前記バスバを振動させながら、前記バスバの貫通孔に前記ボルト端子部の前記軸部を挿通させてゆく
組電池の製造方法。
【発明の詳細な説明】
【技術分野】
【０００１】
本発明は、組電池の製造方法に関する。
【背景技術】
【０００２】
特許文献１，２には、複数の電池が列置方向に列置された電池列と、バスバモジュールと、を備える組電池が開示されている。バスバモジュールは、列置方向に隣り合う電池の正極外部端子と負極外部端子とを接続する複数のバスバ、及び、電気絶縁性を有し、前記複数のバスバを連結する連結部、を有する。正極外部端子及び負極外部端子は、雄ネジ部を有する軸部と、この軸部の後端側に位置する頭部とを備えるボルト端子部を含む。このボルト端子部は、軸部の先端側を上方に向けて、電池の上部に配置されている。また、バスバは、ボルト端子部の軸部が挿通される貫通孔を有している。この組電池では、バスバの貫通孔にボルト端子部が挿通された状態で、バスバを通じて、列置方向に隣り合う電池の正極外部端子と負極外部端子とが接続されている。
【先行技術文献】
【特許文献】
【０００３】
【特許文献１】特開２０１５−１３８６４７号公報
【特許文献２】特開２０１６−１１５５４３号公報
【発明の概要】
【発明が解決しようとする課題】
【０００４】
ところで、上述の組電池を製造するとき、以下のような不具合が生じることがあった。具体的には、バスバモジュールを電池列に取り付ける工程において、バスバモジュールを電池列の上方から降下させてゆくことで、バスバの貫通孔にボルト端子部の軸部を挿通させる。ところが、バスバの貫通孔にボルト端子部の軸部を挿通させている途中で、バスバのうち貫通孔の周囲に位置する孔周囲部が、ボルト端子部の軸部の外周に形成されている雄ネジ部のネジ山に引っ掛かり、バスバの貫通孔にボルト端子部の軸部を適切に（所定の位置にまで）挿通させることができなくなることがあった。
【０００５】
具体的には、例えば、バスバの貫通孔にボルト端子部の軸部を挿通させている途中で、バスバモジュールに含まれる１または複数のバスバにおいて、その孔周囲部がボルト端子部の雄ネジ部に接触するなどして、当該バスバがボルト端子部の軸線に対して斜めに傾き、当該バスバの孔周囲部がボルト端子部のネジ山の上面に接触する態様で、雄ネジ部のネジ山に引っ掛かることがあった。このために、バスバの貫通孔にボルト端子部の軸部を適切に（所定の位置にまで）挿通させることができなくなることがあった。
【０００６】
本発明は、かかる現状に鑑みてなされたものであって、バスバモジュールに含まれるバスバの孔周囲部がボルト端子部のネジ山に引っ掛かるのを防止して、バスバの貫通孔にボルト端子部の軸部を適切に挿通させることができる組電池の製造方法を提供することを目的とする。
【課題を解決するための手段】
【０００７】
本発明の一態様は、複数の電池が列置方向に列置された電池列と、前記列置方向に隣り合う前記電池の正極外部端子と負極外部端子とを接続する複数のバスバ、及び、電気絶縁性を有し、前記複数のバスバを（互いに電気的に絶縁しつつ）連結する連結部、を有するバスバモジュールと、を備え、前記正極外部端子及び前記負極外部端子は、雄ネジ部を有する軸部と前記軸部の後端側に位置する頭部とを備えるボルト端子部であって、前記軸部の先端側を上方に向けて前記電池の上部に配置されているボルト端子部を含み、前記バスバは、前記ボルト端子部の前記軸部が挿通される貫通孔を有し、前記バスバの前記貫通孔に前記ボルト端子部が挿通された状態で、前記バスバを通じて、列置方向に隣り合う前記電池の前記正極外部端子と前記負極外部端子とが接続されている組電池の製造方法であって、前記バスバモジュールを前記電池列に取り付けるための取付用治具に、前記バスバモジュールを装着する装着工程と、前記バスバモジュールを装着した前記取付用治具を、前記電池列の上方から降下させてゆくことで、前記バスバの貫通孔に前記ボルト端子部の前記軸部を挿通させて、前記バスバモジュールを前記電池列に取り付ける取付工程と、を備え、前記取付工程では、前記バスバを振動させながら、前記バスバの貫通孔に前記ボルト端子部の前記軸部を挿通させてゆく組電池の製造方法である。
【０００８】
上述の組電池の製造方法は、バスバモジュールを電池列に取り付けるための取付用治具（バスバモジュールを着脱可能とする構造を有する取付用治具）に、バスバモジュールを装着する装着工程を備える。さらに、バスバモジュールを装着した取付用治具を、電池列の上方から降下させてゆくことで、電池列を構成する各々の電池に設けられているボルト端子部の軸部を、バスバモジュールに含まれるバスバの貫通孔に挿通させて、バスバモジュールを電池列に取り付ける取付工程を備える。
【０００９】
このように、取付用治具を用いて、バスバモジュールを電池列に取り付けるようにすることで、組電池の高電圧部（電池の正極外部端子など）に作業者が手を触れることなく、安全に、バスバモジュールを電池列に取り付けることが可能となる。
【００１０】
さらに、上述の組電池の製造方法では、取付工程において、バスバモジュールに含まれる各々のバスバを振動させながら、各々のバスバの貫通孔にボルト端子部の軸部を挿通させる。これにより、「バスバの貫通孔にボルト端子部の軸部を挿通させている途中で、バスバのうち貫通孔の周囲に位置する孔周囲部が、ボルト端子部の軸部の外周に形成されている雄ネジ部のネジ山に引っ掛かり、バスバの貫通孔にボルト端子部の軸部を適切に（所定の位置にまで）挿通させることができなくなる」という不具合を抑制することができる。すなわち、上述の取付工程では、バスバモジュールに含まれる各々のバスバについて、その孔周囲部がボルト端子部のネジ山に引っ掛かるのを抑制して、各々のバスバの貫通孔にボルト端子部の軸部を適切に（所定の位置にまで）挿通させることが可能となる。
【００１１】
具体的には、例えば、バスバの貫通孔にボルト端子部の軸部を挿通させている途中で、バスバモジュールに含まれる１または複数のバスバにおいて、その孔周囲部がボルト端子部の雄ネジ部に接触するなどして、当該バスバがボルト端子部の軸線に対して斜めに傾き、当該バスバの孔周囲部がボルト端子部のネジ山の上面に接触した場合でも、当該バスバを振動させているので、当該バスバの振動によって孔周囲部をネジ山の上面から離間させて、その接触状態を解除（解消）することができる。これにより、バスバモジュールに含まれる各々のバスバについて、その孔周囲部がボルト端子部のネジ山に引っ掛かるのを防止して、各々のバスバの貫通孔にボルト端子部の軸部を適切に（所定の位置にまで）挿通させることができる。
【図面の簡単な説明】
【００１２】
【図１】実施形態にかかる組電池の斜視図である。
【図２】同組電池の上面図である。
【図３】同組電池を構成する電池の断面図である。
【図４】実施形態にかかるバスバモジュールの平面図である。
【図５】実施形態にかかる装着工程を説明する図である。
【図６】実施形態にかかる装着工程を説明する他の図である。
【図７】実施形態にかかる装着工程を説明する他の図である。
【図８】実施形態にかかる取付用治具の部分拡大図である。
【図９】実施形態にかかる装着工程を説明する他の図である。
【図１０】実施形態にかかる取付工程を説明する図である。
【図１１】実施形態にかかる取付工程を説明する他の図である。
【図１２】実施形態にかかる取付工程を説明する他の図である。
【図１３】実施形態にかかる取付工程を説明する他の図である。
【図１４】実施形態にかかる取付工程を説明する他の図である。
【図１５】実施形態にかかる組電池の製造方法の流れを示すフローチャートである。
【発明を実施するための形態】
【００１３】
（実施形態）
次に、本発明の実施形態について説明する。図１は、本実施形態にかかる組電池１の斜視図である。図２は、組電池１の上面図である。図３は、組電池１を構成する電池１００の縦断面図である。図４は、実施形態にかかるバスバモジュール５０の平面図である。
【００１４】
組電池１は、図１及び図２に示すように、複数の電池１００が列置方向Ｌ（図２において左右方向）に列置された電池列４０と、電池列４０に取り付けられたバスバモジュール５０とを備えている。このうち、電池列４０は、列置方向Ｌに一列に配置された複数の電池１００と、列置方向Ｌに隣り合う電池１００の間に介在する冷却板２０と、これらを挟んで固定するエンドプレート７，８と、エンドプレート７と８を連結する拘束バンド（図示省略）とを備えている。
【００１５】
電池１００は、角形（直方体形状）の二次電池であり、図３に示すように、扁平型の捲回電極体１５０と、この捲回電極体１５０を収容する矩形箱形状の電池ケース本体１１１と、この電池ケース本体１１１の開口１１１ｄを閉塞（封止）する蓋体１１３と、蓋体１１３に設けられた安全弁１１３ｊと、正極外部端子１３０と、負極外部端子１４０とを有する。電池ケース本体１１１と蓋体１１３とは、全周溶接により接合されて、電池ケース１１０を形成している。安全弁１１３ｊは、電池１００の内圧が上昇して開弁圧に達すると、当該安全弁１１３ｊ自身が開裂することで電池１００の密閉状態を解放し、電池１００内のガスを電池外部に排出する。
【００１６】
捲回電極体１５０は、シート状の正極１５６及び負極１５７をシート状のセパレータ１５８を介して捲回した扁平捲回型の電極体である。この捲回電極体１５０は、その軸線方向（図３において左右方向）の一方端部（図３において左端部）に位置し、正極１５６の一部のみが渦巻状に重なる正極捲回部１５６ｂと、他方端部（図３において右端部）に位置し、負極１５７の一部のみが渦巻状に重なる負極捲回部１５７ｂを有している。正極捲回部１５６ｂには、正極外部端子１３０（外部端子本体部１３７）と電気的に接続する正極接続部材１３５が溶接されている。また、負極捲回部１５７ｂには、負極外部端子１４０（外部端子本体部１４７）と電気的に接続する負極接続部材１４５が溶接されている。
【００１７】
正極外部端子１３０は、側面視略Ｚ字状をなす外部端子本体部１３７と、ボルト端子部１３９とを有する。外部端子本体部１３７は、金属板からなり、正極接続部材１３５と接続する第１接続部１３７ｆと、バスバモジュール５０（バスバ５１またはバスバ５２）と接続する第２接続部１３７ｇとを有する。第２接続部１３７ｇには、これを貫通する貫通孔１３７ｃが形成されており、この貫通孔１３７ｃ内には、ボルト端子部１３９の軸部１３９ｃが挿通されている。
【００１８】
ボルト端子部１３９は、金属製のボルトであり、雄ネジ部１３９ｄを有する円柱状の軸部１３９ｃと、軸部１３９ｃの後端側（図３において下端側）に位置する矩形板状の頭部１３９ｂとを有している。このボルト端子部１３９は、軸部１３９ｃの先端側（図３において上端側）を上方に向けて、電池１００の上部（蓋体１１３の上方）に配置されている。
【００１９】
負極外部端子１４０は、側面視略Ｚ字状をなす外部端子本体部１４７と、ボルト端子部１４９とを有する。外部端子本体部１４７は、金属板からなり、負極接続部材１４５と接続する第１接続部１４７ｆと、バスバモジュール５０（バスバ５１またはバスバ５２）と接続する第２接続部１４７ｇとを有する。第２接続部１４７ｇには、これを貫通する貫通孔１４７ｃが形成されており、この貫通孔１４７ｃ内には、ボルト端子部１４９の軸部１４９ｃが挿通されている。
【００２０】
ボルト端子部１４９は、金属製のボルトであり、雄ネジ部１４９ｄを有する円柱状の軸部１４９ｃと、軸部１４９ｃの後端側（図３において下端側）に位置する矩形板状の頭部１４９ｂとを有している。このボルト端子部１４９は、軸部１４９ｃの先端側（図３において上端側）を上方に向けて、電池１００の上部（蓋体１１３の上方）に配置されている。
【００２１】
また、本実施形態の電池１００は、蓋体１１３上に配置された絶縁部材１８０を備えている。この絶縁部材１８０は、正極外部端子１３０（外部端子本体部１３７及びボルト端子部１３９）と蓋体１１３の上面との間に介在し、両者を電気的に絶縁する。なお、この絶縁部材１８０は、負極外部端子１４０（外部端子本体部１４７及びボルト端子部１４９）と蓋体１１３との間にも介在している。
【００２２】
この絶縁部材１８０は、ボルト端子部１３９（１４９）の頭部１３９ｂ（１４９ｂ）が配置される頭部配置部１８１、及び、外部端子本体部１３７（１４７）と蓋体１１３との間に介在する介在部１８３を有している。この介在部１８３上には、外部端子本体部１３７（１４７）の第１接続部１３７ｆ（１４７ｆ）が配置されている。
【００２３】
ボルト端子部１３９（１４９）は、その軸部１３９ｃ（１４９ｃ）が、外部端子本体部１３７（１４７）の第２接続部１３７ｇ（１４７ｇ）の貫通孔１３７ｃ（１４７ｃ）を挿通し、頭部１３９ｂ（１４９ｂ）が、外部端子本体部１３７（１４７）の第２接続部１３７ｇ（１４７ｇ）と絶縁部材１８０の頭部配置部１８１との間に挟まれた態様で、これらに保持されている。
【００２４】
なお、本実施形態では、列置方向Ｌに隣り合う電池１００において、正極外部端子１３０のボルト端子部１３９と負極外部端子１４０のボルト端子部１４９とが列置方向Ｌに隣り合うように、列置方向Ｌに並ぶ電池１００が幅方向Ｗの向き（正極外部端子１３０のボルト端子部１３９と負極外部端子１４０のボルト端子部１４９の幅方向Ｗにかかる位置）を交互に反対にして、電池列４０が構成されている。
【００２５】
また、バスバモジュール５０は、図４に示すように、複数のバスバ５１，５２と、バスバ５１，５２を互いに電気的に絶縁しつつ連結する連結部５３，５４，５５，５６と、連結部５３，５４，５５，５６を連結する連結部５７，５８とを有する。さらに、バスバモジュール５０は、組電池１を構成する電池１００の端子間電圧等を検知するために、各々のバスバ５１，５２に接続された導線（図示省略）を有している。
【００２６】
このうち、バスバ５１は、列置方向Ｌに隣り合う電池１００の正極外部端子１３０と負極外部端子１４０とを接続する部材である。このバスバ５１は、薄板矩形状の金属からなり、正極外部端子１３０のボルト端子部１３９の軸部１３９ｃが挿通される貫通孔５１ｂと、負極外部端子１４０のボルト端子部１４９の軸部１４９ｃが挿通される貫通孔５１ｃとを有する。
【００２７】
バスバ５２は、電池列４０の列置方向Ｌの両端部に位置する電池１００の正極外部端子１３０または負極外部端子１４０に接続する部材である。このバスバ５２は、薄板矩形状の金属からなり、正極外部端子１３０のボルト端子部１３９の軸部１３９ｃ、または、負極外部端子１４０のボルト端子部１４９の軸部１４９ｃが挿通される、貫通孔５２ｂを有する。
【００２８】
なお、バスバ５１，５２の厚みは、ボルト端子部１３９の雄ネジ部１３９ｄのネジピッチ（隣り合うネジ山の頂点と頂点との間の距離）及びボルト端子部１４９の雄ネジ部１４９ｄのネジピッチの寸法と同等である。従って、バスバ５１のうち貫通孔５１ｂの周囲に位置する孔周囲部５１ｆの厚み、バスバ５１のうち貫通孔５１ｃの周囲に位置する孔周囲部５１ｇの厚み、及び、バスバ５２のうち貫通孔５２ｂの周囲に位置する孔周囲部５２ｆの厚みは、いずれも、ボルト端子部１３９の雄ネジ部１３９ｄのネジピッチ及びボルト端子部１４９の雄ネジ部１４９ｄのネジピッチの寸法と同等である。
【００２９】
このバスバモジュール５０では、電池列４０の幅方向Ｗの一方側（図２及び図４において、上側）において、複数のバスバ５１が列置方向Ｌに間隔を空けて列置された、第１バスバ列５０ｂを形成している。この第１バスバ列５０ｂでは、これを構成している複数のバスバ５１の貫通孔５１ｂ，５１ｃのピッチ（列置方向Ｌにかかる貫通孔５１ｂ，５１ｃの中心間距離）が、電池列４０の幅方向Ｗの一方側において列置方向Ｌに並んでいるボルト端子部１３９，１４９の軸部１３９ｃ，１４９ｃのピッチ（列置方向Ｌにかかる軸部１３９ｃ，１４９ｃの中心軸間距離）と等しくなるように、複数のバスバ５１が列置方向Ｌに配置されている。
【００３０】
また、バスバモジュール５０では、電池列４０の幅方向Ｗの他方側（図２及び図４において、下側）において、複数のバスバ５１とバスバ５２が列置方向Ｌに間隔を空けて列置された、第２バスバ列５０ｃを形成している。なお、この第２バスバ列５０ｃでは、列置方向Ｌの両端部（図２及び図４において左右端部）にバスバ５２が配置され、これらの間に複数のバスバ５１が配置されている。この第２バスバ列５０ｃでは、これを構成している複数のバスバ５１，５２の貫通孔５１ｂ，５１ｃ，５２ｂのピッチ（列置方向Ｌにかかる貫通孔５１ｂ，５１ｃ，５２ｂの中心間距離）が、電池列４０の幅方向Ｗの他方側において列置方向Ｌに並んでいるボルト端子部１３９，１４９の軸部１３９ｃ，１４９ｃのピッチ（列置方向Ｌにかかる軸部１３９ｃ，１４９ｃの中心軸間距離）と等しくなるように、複数のバスバ５１，５２が列置方向Ｌに配置されている。
【００３１】
連結部５３，５４，５５，５６は、電気絶縁性及び可撓性を有する薄板状の柔軟な樹脂からなる。このうち、連結部５３は、列置方向Ｌに延びる細長板状をなし、第１バスバ列５０ｂを構成している複数のバスバ５１のうち幅方向Ｗの一方側（図４において上側）の部位に接合して、複数のバスバ５１を互いに電気的に絶縁した状態で連結している。また、連結部５４は、列置方向Ｌに延びる細長板状をなし、第１バスバ列５０ｂを構成している複数のバスバ５１のうち幅方向Ｗの他方側（図４において下側）の部位に接合して、複数のバスバ５１を互いに電気的に絶縁した状態で連結している。
【００３２】
また、連結部５５は、列置方向Ｌに延びる細長板状をなし、第２バスバ列５０ｃを構成している複数のバスバ５１，５２のうち幅方向Ｗの一方側（図４において上側）の部位に接合して、複数のバスバ５１，５２を互いに電気的に絶縁した状態で連結している。また、連結部５６は、列置方向Ｌに延びる細長板状をなし、第２バスバ列５０ｃを構成している複数のバスバ５１，５２のうち幅方向Ｗの他方側（図４において下側）の部位に接合して、複数のバスバ５１，５２を互いに電気的に絶縁した状態で連結している。
【００３３】
また、連結部５７，５８は、電気絶縁性を有する薄板状の樹脂からなる。このうち、連結部５７は、連結部５３〜５６のうち列置方向Ｌの一方側（図４において右側）の部位に接合して、連結部５３〜５６を連結している。連結部５８は、連結部５３〜５６のうち列置方向Ｌの他方側（図４において左側）の部位に接合して、連結部５３〜５６を連結している。
【００３４】
本実施形態の組電池１では、バスバモジュール５０の第１バスバ列５０ｂを構成する各々のバスバ５１の貫通孔５１ｂに、電池列４０の幅方向Ｗの一方側（図４において上側）において列置方向Ｌに並んでいる正極外部端子１３０のボルト端子部１３９の軸部１３９ｃが挿通され、且つ、第１バスバ列５０ｂを構成する各々のバスバ５１の貫通孔５１ｃに、電池列４０の幅方向Ｗの一方側において列置方向Ｌに並んでいる負極外部端子１４０のボルト端子部１４９の軸部１４９ｃが挿通された状態で、第１バスバ列５０ｂを構成する各々のバスバ５１が、電池列４０の幅方向Ｗの一方側において列置方向Ｌに隣り合う正極外部端子１３０の外部端子本体部１３７と負極外部端子１４０の外部端子本体部１４７に接触している。
【００３５】
さらに、バスバモジュール５０の第２バスバ列５０ｃを構成する各々のバスバ５１の貫通孔５１ｂに、電池列４０の幅方向Ｗの他方側（図４において下側）において列置方向Ｌに並んでいる正極外部端子１３０のボルト端子部１３９の軸部１３９ｃが挿通され、且つ、第２バスバ列５０ｃを構成する各々のバスバ５１の貫通孔５１ｃに、電池列４０の幅方向Ｗの他方側において列置方向Ｌに並んでいる負極外部端子１４０のボルト端子部１４９の軸部１４９ｃが挿通された状態で、第２バスバ列５０ｃを構成する各々のバスバ５１が、電池列４０の幅方向Ｗの他方側において列置方向Ｌに隣り合う正極外部端子１３０の外部端子本体部１３７と負極外部端子１４０の外部端子本体部１４７に接触している。
【００３６】
そして、正極外部端子１３０のボルト端子部１３９の雄ネジ部１３９ｄにナット５を螺合させて、正極外部端子１３０の外部端子本体部１３７とバスバ５１とを締結し、さらに、負極外部端子１４０のボルト端子部１４９の雄ネジ部１４９ｄにナット５を螺合させて、負極外部端子１４０の外部端子本体部１４７とバスバ５１とを締結している。このようにして、バスバ５１を通じて、列置方向Ｌに隣り合う電池１００の正極外部端子１３０と負極外部端子１４０とが接続されている。これにより、組電池１を構成する全ての電池１００が電気的に直列に接続されている。
【００３７】
次に、実施形態にかかる組電池の製造方法について説明する。図１５は、実施形態にかかる組電池の製造方法の流れを示すフローチャートである。
まず、ステップＳ１（電池列作製工程）において、電池列４０を作製する。具体的には、複数の電池１００を列置方向Ｌ（図２において左右方向）に一列に列置すると共に、列置方向Ｌに隣り合う電池１００の間に冷却板２０を介在させる。その後、列置方向Ｌに列置された電池１００及び冷却板２０を列置方向Ｌに挟むように、エンドプレート７，８を列置方向Ｌの両端に配置する。そして、エンドプレート７，８によって、列置方向Ｌに列置された電池１００を列置方向に圧縮する荷重を掛けた状態で、エンドプレート７と８を拘束バンド（図示省略）によって連結（固定）する。これにより、電池列４０が作製される。
【００３８】
次に、ステップＳ２（装着工程）に進み、バスバモジュール５０を電池列４０に取り付けるための取付用治具７０に、バスバモジュール５０を装着する。
具体的には、まず、図５に示すように、セット治具６０を用意する。このセット治具６０は、バスバモジュール５０を取付用治具７０に装着させるために、バスバモジュール５０の位置決めを行う治具である。セット治具６０は、バスバモジュール５０を載置する載置板６１と、この載置板６１の四隅に立設された位置決めピン６２，６３，６４，６５とを有する。さらに、載置板６１の両端部には、位置決めピン６６，６７が立設されている。
【００３９】
その後、位置決めピン６２，６３，６４，６５によってバスバモジュール５０を位置決めしつつ、この載置板６１の上にバスバモジュール５０を載置する。具体的には、図６に示すように、バスバモジュール５０の第１バスバ列５０ｂのうち、列置方向Ｌについて最も一方側（図４において右端）に位置するバスバ５１の貫通孔５１ｂに、位置決めピン６２を挿入し、列置方向Ｌについて最も他方側（図４において左端）に位置するバスバ５１の貫通孔５１ｃに、位置決めピン６３を挿入し、バスバモジュール５０の第２バスバ列５０ｃのうち、列置方向Ｌについて最も一方側（図４において右端）に位置するバスバ５２の貫通孔５２ｂに、位置決めピン６５を挿入し、且つ、列置方向Ｌについて最も他方側（図４において左端）に位置するバスバ５２の貫通孔５２ｂに、位置決めピン６４を挿入しつつ、載置板６１の上にバスバモジュール５０を載置して、セット治具６０にバスバモジュール５０をセットする。
【００４０】
次いで、上述のようにセット治具６０にセットされたバスバモジュール５０を、取付用治具７０に装着する。なお、本実施形態の取付用治具７０は、バスバモジュール５０のバスバ５１，５２に吸着する態様で、当該取付用治具７０にバスバモジュール５０を装着する治具であり、バスバモジュール５０を着脱可能とする構造を有する。
【００４１】
この取付用治具７０は、図７及び図８に示すように、平板状の第１部材７１と、この第１部材７１の下方に配置された平板状の第２部材７５とを有する。第１部材７１の上面の両端部（列置方向Ｌについての両端部）には、作業者が取付用治具７０を把持する（手で掴んで持つ）ための取っ手７２，７２が設けられている。さらに、第１部材７１の両端部（列置方向Ｌについての両端部）であって、取っ手７２の位置よりも列置方向Ｌの外側には、セット治具６０の位置決めピン６６，６７が挿入される位置決め部材７４，７４が設けられている。この位置決め部材７４は、第１部材７１を上下方向に貫通する態様で第１部材７１に固定されている。この位置決め部材７４には、位置決めピン６６，６７が挿通可能な上下方向に延びる貫通孔７４ｂが形成されている。
【００４２】
また、第２部材７５には、バスバモジュール５０のバスバ５１に吸着してこれを保持する吸着部材７６と、バスバ５２に吸着してこれを保持する吸着部材７７とが設けられている。さらに、第２部材７５の両端部（列置方向Ｌについての両端部）には、切り欠き部７５ｂ，７５ｂが形成されている（図８参照）。本実施形態では、バスバモジュール５０がセットされているセット治具６０の位置決めピン６６，６７を、取付用治具７０の第２部材７５の切り欠き部７５ｂ，７５ｂの内側に通すと共に、位置決め部材７４，７４の貫通孔７４ｂ，７４ｂに挿入（挿通）させることで、取付用治具７０を、セット治具６０にセットされたバスバモジュール５０を当該取付用治具７０に装着させるときの装着位置に、適切に配置できるように構成されている。
【００４３】
吸着部材７６は、第２部材７５に固定されて上下方向に延びる（第２部材７５をその厚み方向に貫通する）金属製で円筒状の本体部７６ｂと、この本体部７６ｂの下端部に設けられた吸着部７６ｃとを有する。吸着部７６ｃは、弾性変形可能な材料（例えば、ゴムまたは樹脂）からなり、可撓性を有している。この吸着部７６ｃは、バスバ５１に吸着する円環ドーム状の吸盤７６ｇと、この吸盤７６ｇと本体部７６ｂとを連結する円筒形状の連結部７６ｆとを有する。
【００４４】
吸着部材７７は、第２部材７５に固定されて上下方向に延びる（第２部材７５をその厚み方向に貫通する）金属製で円筒状の本体部７７ｂと、この本体部７７ｂの下端部に設けられた吸着部７７ｃとを有する。吸着部７７ｃは、弾性変形可能な材料（例えば、ゴムまたは樹脂）からなり、可撓性を有している。この吸着部７７ｃは、バスバ５２に吸着する円環ドーム状の吸盤７７ｇと、この吸盤７７ｇと本体部７７ｂとを連結する円筒形状の連結部７７ｆとを有する。
【００４５】
吸着部材７６の本体部７６ｂの上端部及び吸着部材７７の本体部７７ｂの上端部には、一端が真空ポンプ（図示省略）に接続された図示しないホースの他端が接続される。従って、吸盤７６ｇまたは吸盤７７ｇの底面（吸着面）をバスバ５１または５２の上面に密着させた状態で、図示しない真空ポンプの駆動により、吸盤７６ｇとバスバ５１とにより形成されている空間内及び吸盤７７ｇとバスバ５２とにより形成されている空間内から空気を排出する（真空引きする）ことで、吸着部７６ｃの吸盤７６ｇをバスバ５１に吸着させると共に、吸着部７７ｃの吸盤７７ｇをバスバ５２に吸着させることができる。
【００４６】
なお、本実施形態では、取付用治具７０の第２部材７５に、バスバモジュール５０に設けられているバスバ５１の個数と同等数の吸着部材７６及びバスバモジュール５０に設けられているバスバ５２の個数の２倍の吸着部材７７が設けられている。より具体的には、取付用治具７０の位置決め部材７４，７４の貫通孔７４ｂ，７４ｂに、バスバモジュール５０がセットされているセット治具６０の位置決めピン６６，６７を挿入（挿通）させて、取付用治具７０を、セット治具６０にセットされたバスバモジュール５０を当該取付用治具７０に装着させるときの装着位置に配置したときに、吸着部材７６の吸盤７６ｇが、セット治具６０にセットされたバスバモジュール５０のうち、第１バスバ列５０ｂに含まれる各々のバスバ５１の中央部に接触する位置と、第２バスバ列５０ｃに含まれる各々のバスバ５１の中央部に接触する位置とに配置され、吸着部材７７の吸盤７７ｇが、第２バスバ列５０ｃに含まれる各々のバスバ５２の幅方向Ｗにかかる両端部（図４において上端部と下端部）に接触する位置に配置されるように、取付用治具７０の第２部材７５に吸着部材７６，７７が設けられている。
【００４７】
さらに、取付用治具７０には、バイブレータ７３が設けられている。このバイブレータ７３は、その内部に、上下方向に振動する（上下運動する）図示しないピストンを有している。また、バイブレータ７３の下面が、振動面（振動を伝達する面）となっている。このバイブレータ７３は、第１部材７１（第１部材７１の中央部に形成されている貫通孔）を上下方向に貫通して、振動面（下面）が第２部材７５に接触した状態で、第２部材７５に固定されている。
【００４８】
なお、本実施形態では、バイブレータ７３として、公知のエアー式バイブレータを用いている。このバイブレータ７３には、図示しないコンプレッサに一端が接続されたエアチューブ（図示省略）の他端が接続されている。従って、コンプレッサを駆動させることで、バイブレータ７３を駆動（バイブレータ７３の振動面を上下方向に振動）させて、振動面が接触している第２部材７５に上下方向の振動を与えることができる。さらに、第２部材７５の振動は、第２部材７５に設けられている吸着部材７６，７７に伝わり、吸着部材７６，７７を上下方向（軸線方向）に振動させることができる。従って、取付用治具７０の吸着部材７６，７７（吸盤７６ｇ，７７ｇ）をバスバ５１，５２に吸着させた状態で、バイブレータ７３を駆動させると、吸着部材７６，７７が上下方向（軸線方向）に振動すると共に、バスバ５１，５２が上下方向に振動する。
【００４９】
本実施形態のステップＳ２（装着工程）では、上述の取付用治具７０の取っ手７２，７２を作業者が把持した状態で、図７に示すように、取付用治具７０を、セット治具６０にセットされたバスバモジュール５０の上方から降下させてゆき、取付用治具７０の位置決め部材７４，７４の貫通孔７４ｂ，７４ｂに、バスバモジュール５０がセットされているセット治具６０の位置決めピン６６，６７を挿入（挿通）させる。
【００５０】
これにより、図９に示すように、取付用治具７０を、セット治具６０にセットされたバスバモジュール５０を当該取付用治具７０に装着させるときの装着位置に配置して、吸着部材７６の吸盤７６ｇを、バスバモジュール５０のうち第１バスバ列５０ｂに含まれる各々のバスバ５１の中央部、及び、第２バスバ列５０ｃに含まれる各々のバスバ５１の中央部に密着させると共に、吸着部材７７の吸盤７７ｇを、第２バスバ列５０ｃに含まれる各々のバスバ５２の幅方向Ｗにかかる両端部（図４において上端部と下端部）に密着させる。
【００５１】
その後、吸盤７６ｇまたは吸盤７７ｇの底面（吸着面）をバスバ５１または５２の上面に密着させた状態で、図示しない真空ポンプの駆動により、吸盤７６ｇとバスバ５１とにより形成されている空間内及び吸盤７７ｇとバスバ５２とにより形成されている空間内から空気を排出する（真空引きする）ことで、吸着部７６ｃの吸盤７６ｇをバスバ５１に吸着させると共に、吸着部７７ｃの吸盤７７ｇをバスバ５２に吸着させる。これにより、バスバモジュール５０のバスバ５１，５２に取付用治具７０の吸着部材７６，７７が吸着する態様で、取付用治具７０にバスバモジュール５０が装着される。
【００５２】
この状態で、取付用治具７０を上方に持ち上げることで、バスバモジュール５０がセット治具６０から離間し、取付用治具７０にバスバモジュール５０が装着（保持）された状態となる。このように、バスバモジュール５０のバスバ５１，５２に取付用治具７０の吸着部材７６，７７を吸着させる態様で、取付用治具７０にバスバモジュール５０を装着することで、適切に、バスバモジュール５０を保持することができる。
【００５３】
次に、ステップＳ３（取付工程）に進み、バスバモジュール５０を電池列４０に取り付ける。具体的には、まず、図１０に示すように、ステップＳ１において作製した電池列４０を、位置決め治具８０に固定する。この位置決め治具８０は、電池列４０を載置する載置板８５と、この載置板８５の列置方向Ｌの両端部に立設された位置決めピン８１，８１を有する。
【００５４】
さらに、載置板８５の列置方向Ｌの両端部の上面であって、列置方向Ｌについて位置決めピン８１，８１の内側には、位置決め部材８２，８２が設けられている。この位置決め部材８２は、上面視コの字形状をなしており、列置方向Ｌについて電池列４０を位置決めする第１位置決め部８２ｂと、幅方向Ｗについて電池列４０を位置決めする第２位置決め部８２ｃとを有する。
【００５５】
各々の位置決め部材８２において、幅方向Ｗについて対向する２つの第２位置決め部８２ｃの間隔は、電池列４０の幅方向Ｗの寸法に一致している。また、列置方向Ｌに対向する２つの位置決め部材８２の第１位置決め部８２ｂの間隔は、電池列４０の列置方向Ｌの寸法に一致している。従って、電池列４０が２つの位置決め部材８２で挟まれるようにして、位置決め治具８０の載置板８５上に載置することで、位置決め治具８０に対する電池列４０の位置が固定される。
【００５６】
また、位置決めピン８１は、取付用治具７０の位置決め部材７４の貫通孔７４ｂに挿入（挿通）可能な形状とされている。２つの位置決めピン８１，８１のピッチは、取付用治具７０の２つの位置決め部材７４の貫通孔７４ｂのピッチと同等とされている。このため、バスバモジュール５０を装着した取付用治具７０を、位置決め治具８０によって位置決めされた電池列４０の上方から降下させてゆき、取付用治具７０の位置決め部材７４，７４の貫通孔７４ｂ，７４ｂに、位置決め治具８０の位置決めピン８１，８１を挿入させることで、取付用治具７０に保持されているバスバモジュール５０を、電池列４０の上部に配置（位置決め）することができる。
【００５７】
さらに、位置決めピン８１，８１は、バスバモジュール５０を装着した取付用治具７０の位置決め部材７４，７４の貫通孔７４ｂ，７４ｂに、位置決め治具８０の位置決めピン８１，８１を挿入させたとき、バスバモジュール５０が電池列４０に対する取付位置に適切に配置される位置に設けられている。すなわち、バスバモジュール５０を装着した取付用治具７０の位置決め部材７４，７４の貫通孔７４ｂ，７４ｂに、位置決め治具８０の位置決めピン８１，８１を挿入させたとき、バスバモジュール５０の第１バスバ列５０ｂを構成する各々のバスバ５１の貫通孔５１ｂに、電池列４０の幅方向Ｗの一方側（図４において上側）において列置方向Ｌに並んでいる正極外部端子１３０のボルト端子部１３９の軸部１３９ｃが挿通され、第１バスバ列５０ｂを構成する各々のバスバ５１の貫通孔５１ｃに、電池列４０の幅方向Ｗの一方側において列置方向Ｌに並んでいる負極外部端子１４０のボルト端子部１４９の軸部１４９ｃが挿通され、バスバモジュール５０の第２バスバ列５０ｃを構成する各々のバスバ５１の貫通孔５１ｂに、電池列４０の幅方向Ｗの他方側（図４において下側）において列置方向Ｌに並んでいる正極外部端子１３０のボルト端子部１３９の軸部１３９ｃが挿通され、且つ、第２バスバ列５０ｃを構成する各々のバスバ５１の貫通孔５１ｃに、電池列４０の幅方向Ｗの他方側において列置方向Ｌに並んでいる負極外部端子１４０のボルト端子部１４９の軸部１４９ｃが挿通される位置に、位置決めピン８１，８１と位置決め部材８２，８２が配置されている。
【００５８】
本実施形態のステップＳ３（取付工程）では、図１０及び図１１に示すように、バスバモジュール５０を装着した取付用治具７０を、位置決め治具８０によって位置決めされた電池列４０の上方から降下させてゆき、取付用治具７０の位置決め部材７４，７４の貫通孔７４ｂ，７４ｂに、位置決め治具８０の位置決めピン８１，８１を挿入させる。これにより、バスバモジュール５０の第１バスバ列５０ｂを構成する各々のバスバ５１の貫通孔５１ｂに、電池列４０の幅方向Ｗの一方側（図４において上側）において列置方向Ｌに並んでいる正極外部端子１３０のボルト端子部１３９の軸部１３９ｃを挿通させ、第１バスバ列５０ｂを構成する各々のバスバ５１の貫通孔５１ｃに、電池列４０の幅方向Ｗの一方側において列置方向Ｌに並んでいる負極外部端子１４０のボルト端子部１４９の軸部１４９ｃを挿通させ、バスバモジュール５０の第２バスバ列５０ｃを構成する各々のバスバ５１の貫通孔５１ｂに、電池列４０の幅方向Ｗの他方側（図４において下側）において列置方向Ｌに並んでいる正極外部端子１３０のボルト端子部１３９の軸部１３９ｃを挿通させ、且つ、第２バスバ列５０ｃを構成する各々のバスバ５１の貫通孔５１ｃに、電池列４０の幅方向Ｗの他方側において列置方向Ｌに並んでいる負極外部端子１４０のボルト端子部１４９の軸部１４９ｃを挿通させることができる。
【００５９】
なお、図１１は、ステップＳ３（取付工程）において、バスバモジュール５０に含まれる１つのバスバ５１について、その貫通孔５１ｂに、１つの電池１００の正極外部端子１３０のボルト端子部１３９の軸部１３９ｃが挿通されると共に、貫通孔５１ｃに、列置方向Ｌに隣接する電池１００の負極外部端子１４０のボルト端子部１４９の軸部１４９ｃが挿通されるときの様子を示す、拡大断面図である。
【００６０】
本実施形態のステップＳ３（取付工程）のように、取付用治具７０を用いて、バスバモジュール５０を電池列４０に取り付けるようにすることで、組電池１の高電圧部（電池１００の正極外部端子１３０など）に作業者が手を触れることなく、安全に、バスバモジュール５０を電池列４０に取り付けることが可能となる。
【００６１】
ところで、従来、バスバモジュールを電池列の上方から降下させてゆくことで、バスバの貫通孔にボルト端子部の軸部を挿通させている途中で、バスバのうち貫通孔の周囲に位置する孔周囲部が、ボルト端子部の軸部の外周に形成されている雄ネジ部のネジ山に引っ掛かり、バスバの貫通孔にボルト端子部の軸部を適切に（所定の位置にまで）挿通させることができなくなることがあった。具体的には、例えば、バスバの貫通孔にボルト端子部の軸部を挿通させている途中で、バスバモジュールに含まれる１または複数のバスバにおいて、その孔周囲部がボルト端子部の雄ネジ部に接触するなどして、当該バスバがボルト端子部の軸線に対して斜めに傾き、当該バスバの孔周囲部がボルト端子部のネジ山の上面に接触する態様で、雄ネジ部のネジ山に引っ掛かることがあった。このために、バスバの貫通孔にボルト端子部の軸部を適切に（所定の位置にまで）挿通させることができなくなることがあった。
【００６２】
これに対し、本実施形態のステップＳ３（取付工程）では、バスバモジュール５０に含まれる各々のバスバ５１，５２を振動させながら、バスバ５１の貫通孔５１ｂに正極外部端子１３０のボルト端子部１３９の軸部１３９ｃを挿通させ、且つ、バスバ５１の貫通孔５１ｃに負極外部端子１４０のボルト端子部１４９の軸部１４９ｃを挿通させると共に、バスバ５２の貫通孔５２ｂに、正極外部端子１３０のボルト端子部１３９の軸部１３９ｃ、または、負極外部端子１４０のボルト端子部１４９の軸部１４９ｃを挿通させる。
【００６３】
具体的には、まず、図１０に示すように、バスバモジュール５０を装着した取付用治具７０を、位置決め治具８０によって位置決めされた電池列４０の上方に配置する。そして、取付用治具７０に設けられているバイブレータ７３に接続されている図示しないコンプレッサを駆動させる（ＯＮにする）ことで、バイブレータ７３を駆動（バイブレータ７３の振動面を上下方向に振動）させる。これにより、吸着部材７６，７７が上下方向（軸線方向）に振動すると共に、バスバモジュール５０に含まれる全てのバスバ５１，５２が上下方向に振動する。
【００６４】
この状態で、図１０及び図１１に示すように、バスバモジュール５０を装着した取付用治具７０を、位置決め治具８０によって位置決めされた電池列４０の上方から降下させてゆき、取付用治具７０の位置決め部材７４，７４の貫通孔７４ｂ，７４ｂに、位置決め治具８０の位置決めピン８１，８１を挿入させてゆく。これにより、バスバモジュール５０に含まれる全てのバスバ５１，５２を上下方向に振動させながら、バスバモジュール５０の第１バスバ列５０ｂを構成する各々のバスバ５１の貫通孔５１ｂに、電池列４０の幅方向Ｗの一方側（図４において上側）において列置方向Ｌに並んでいる正極外部端子１３０のボルト端子部１３９の軸部１３９ｃを挿通させてゆき、第１バスバ列５０ｂを構成する各々のバスバ５１の貫通孔５１ｃに、電池列４０の幅方向Ｗの一方側において列置方向Ｌに並んでいる負極外部端子１４０のボルト端子部１４９の軸部１４９ｃを挿通させてゆき、バスバモジュール５０の第２バスバ列５０ｃを構成する各々のバスバ５１の貫通孔５１ｂ及びバスバ５２の貫通孔５２ｂに、電池列４０の幅方向Ｗの他方側（図４において下側）において列置方向Ｌに並んでいる正極外部端子１３０のボルト端子部１３９の軸部１３９ｃを挿通させてゆき、且つ、第２バスバ列５０ｃを構成する各々のバスバ５１の貫通孔５１ｃ及びバスバ５２の貫通孔５２ｂに、電池列４０の幅方向Ｗの他方側において列置方向Ｌに並んでいる負極外部端子１４０のボルト端子部１４９の軸部１４９ｃを挿通させてゆく。
【００６５】
このようにすることで、「バスバの貫通孔にボルト端子部の軸部を挿通させている途中で、バスバのうち貫通孔の周囲に位置する孔周囲部が、ボルト端子部の軸部の外周に形成されている雄ネジ部のネジ山に引っ掛かり、バスバの貫通孔にボルト端子部の軸部を適切に（所定の位置にまで）挿通させることができなくなる」という不具合を防止することができる。
【００６６】
すなわち、本実施形態の取付工程（ステップＳ３）では、バスバモジュール５０に含まれる各々のバスバ５１，５２について、これらの孔周囲部５１ｆ（バスバ５１のうち貫通孔５１ｂの周囲に位置する部位），５１ｇ（バスバ５１のうち貫通孔５１ｃの周囲に位置する部位），５２ｆ（バスバ５２のうち貫通孔５２ｂの周囲に位置する部位）が、ボルト端子部１３９，１４９の雄ネジ部１３９ｄ，１４９ｄのネジ山１３９ｆ，１４９ｆに引っ掛かるのを防止して、各々のバスバ５１，５２の貫通孔５１ｂ，５１ｃ，５２ｂにボルト端子部１３９，１４９の軸部１３９ｃ，１４９ｃを適切に（所定の位置にまで）挿通させて、各々のバスバ５１，５２を、第２接続部１３７ｇ，１４７ｇに接触させることができる（図１４参照）。
【００６７】
具体的には、例えば、図１２に示すように、バスバ５１の貫通孔５１ｃにボルト端子部１４９の軸部１４９ｃを挿通させている途中で、当該バスバ５１の貫通孔５１ｃの孔周囲部５１ｇがボルト端子部１４９の雄ネジ部１４９ｄに接触するなどして、当該バスバ５１がボルト端子部１４９の軸線ＡＸに対して斜めに傾き、当該バスバ５１の孔周囲部５１ｇがボルト端子部１４９のネジ山１４９ｆの上面に接触して、孔周囲部５１ｇがボルト端子部１４９のネジ山１４９ｆに引っ掛かりそうになった場合でも、当該バスバ５１を上下に振動させているので、当該バスバ５１の振動によって当該バスバ５１が上方に移動することによって、図１３に示すように、孔周囲部５１ｇをネジ山１４９ｆの上面から離間させて、その接触状態を解除（解消）することができる。
【００６８】
より具体的には、バスバ５１の孔周囲部５１ｇがボルト端子部１４９の雄ネジ部１４９ｄに接触するなどして、吸着部７６ｃの連結部７６ｆがボルト端子部１４９側に弾性的に屈曲して、当該バスバ５１がボルト端子部１４９の軸線ＡＸに対して斜めに傾き、孔周囲部５１ｇがボルト端子部１４９のネジ山１４９ｆに引っ掛かりそうになることがあり得る（図１２参照）。
【００６９】
しかしながら、このとき（その後）、当該バスバ５１の振動によって当該バスバ５１が上方に移動することによって、バスバ５１の孔周囲部５１ｇがボルト端子部１４９のネジ山１４９ｆの上面から離間すると共に、弾性的に屈曲していた吸着部７６ｃの連結部７６ｆが上下方向に真っ直ぐに延びる形状に復元する（図１３参照）。これにより、バスバ５１の孔周囲部５１ｇを、ボルト端子部１４９のネジ山１４９ｆから離間させて、孔周囲部５１ｇがボルト端子部１４９のネジ山１４９ｆに引っ掛かるのを防止できる。
【００７０】
このように、バスバモジュール５０に含まれる各々のバスバ５１，５２を振動させながら、電池列４０へのバスバモジュール５０の取付けを行うことで、バスバモジュール５０に含まれる各々のバスバ５１，５２について、これらの孔周囲部５１ｆ，５１ｇ，５２ｆ、ボルト端子部１３９，１４９の雄ネジ部１３９ｄ，１４９ｄのネジ山１３９ｆ，１４９ｆに引っ掛かるのを防止して、各々のバスバ５１，５２の貫通孔５１ｂ，５１ｃ，５２ｂにボルト端子部１３９，１４９の軸部１３９ｃ，１４９ｃを適切に（所定の位置にまで）挿通させて、各々のバスバ５１，５２を、第２接続部１３７ｇ，１４７ｇに接触させることができる（図１４参照）。
【００７１】
その後、取付用治具７０のバイブレータ７３に接続されているコンプレッサ（図示省略）の駆動を停止する（ＯＦＦにする）ことで、バイブレータ７３の駆動を停止（バイブレータ７３の振動面の振動を停止）させる。さらに、吸着部材７６，７７に接続されている真空ポンプ（図示省略）の駆動を停止することで、バスバ５１に対する吸盤７６ｇの吸着を解除（解放）すると共に、バスバ５２に対する吸盤７７ｇの吸着を解除（解放）する。次いで、取付用治具７０を上方に移動させることで、取付用治具７０をバスバモジュール５０から離間させて、電池列４０の上部にバスバモジュール５０のみが配置された状態にする。
【００７２】
その後、電池列４０を構成する各々の電池１００の正極外部端子１３０のボルト端子部１３９の雄ネジ部１３９ｄにナット５を螺合させて、正極外部端子１３０の外部端子本体部１３７とバスバ５１とを締結して電気的に接続し、且つ、正極外部端子１３０の外部端子本体部１３７とバスバ５２とを締結して電気的に接続する。さらに、各々の電池１００の負極外部端子１４０のボルト端子部１４９の雄ネジ部１４９ｄにナット５を螺合させて、負極外部端子１４０の外部端子本体部１４７とバスバ５１とを締結して電気的に接続し、且つ、負極外部端子１４０の外部端子本体部１４７とバスバ５２とを締結して電気的に接続する。これにより、本実施形態の組電池１が完成する（図１、図２参照）。
【００７３】
以上において、本発明を実施形態に即して説明したが、本発明は上記実施形態に限定されるものではなく、その要旨を逸脱しない範囲で、適宜変更して適用できることはいうまでもない。
【００７４】
例えば、実施形態では、バスバモジュールとして、第１バスバ列５０ｂと第２バスバ列５０ｃとが一体とされたバスバモジュール５０を用いた。しかしながら、組電池の製造において、第１バスバ列５０ｂからなる第１バスバモジュールと、第２バスバ列５０ｃからなる第２バスバモジュールとを用いる（すなわち、２つのバスバモジュールを用いる）ようにしても良い。
【符号の説明】
【００７５】
１  組電池
４０  電池列
５０  バスバモジュール
５０ｂ  第１バスバ列
５０ｃ  第２バスバ列
５１，５２  バスバ
５１ｂ，５１ｃ，５２ｂ  貫通孔
５１ｆ，５１ｇ，５２ｆ  孔周囲部
５３，５４，５５，５６  連結部
７０  取付用治具
７３  バイブレータ
７６，７７  吸着部材
７６ｇ，７７ｇ  吸盤
１００  電池
１１０  電池ケース
１３０  正極外部端子
１３７，１４７  外部端子本体部
１３９，１４９  ボルト端子部
１３９ｂ，１４９ｂ  頭部
１３９ｃ，１４９ｃ  軸部
１３９ｄ，１４９ｄ  雄ネジ部
１４０  負極外部端子
１５０  捲回電極体
Ｌ  列置方向
Ｗ  幅方向
Ｓ２  装着工程
Ｓ３  取付工程
【図１】
2018060626.tif 000003
【図２】
2018060626.tif 000004
【図３】
2018060626.tif 000005
【図４】
2018060626.tif 000006
【図５】
2018060626.tif 000007
【図６】
2018060626.tif 000008
【図７】
2018060626.tif 000009
【図８】
2018060626.tif 000010
【図９】
2018060626.tif 000011
【図１０】
2018060626.tif 000012
【図１１】
2018060626.tif 000013
【図１２】
2018060626.tif 000014
【図１３】
2018060626.tif 000015
【図１４】
2018060626.tif 000016
【図１５】
2018060626.tif 000017